(57)【要約】  【課題】  簡易な機構によって、第１・第２スキャナーを各々固定できる画像読み取り装置を提供する。  【解決手段】  第１・第２スキャナー３９・４９の固定位置に近接する画像読み取り装置６９のハウジング５７の側壁５７ａに移動可能なロック部材１を設け、そのロック部材１が、第１・第２スキャナー３９・４９の一部であるＬＣ係合部３５・ＭＣ係合部４５に同時に接触することで各々固定する。【選択図】      図１
2005208391.tif 000002
【特許請求の範囲】
【請求項１】
筐体の上面に配設される原稿載置部に沿って移動する第１スキャナーと第２スキャナーとを含む画像読み取り装置において、
上記第１スキャナーの一部および上記第２スキャナーの一部に同時に接触することで、両スキャナーの移動を固定する固定部材が、上記筐体に設けられていることを特徴とする画像読み取り装置。
【請求項２】
上記固定部材は、上記第１スキャナーと、上記第２スキャナーとを離間させて、両スキャナーを固定することを特徴とする請求項１に記載の画像読み取り装置。
【請求項３】
上記固定部材には、その固定部材による上記の第１スキャナーおよび第２スキャナーの固定動作を制御する制御部が設けられており、
上記制御部は、上記の第１スキャナーまたは第２スキャナーが所定の固定位置に到達したときのみ、上記固定部材による両スキャナーの固定を可能にすることを特徴とする請求項１または２に記載の画像読み取り装置。
【発明の詳細な説明】
【技術分野】
【０００１】
本発明は、パーソナルコンピューター（ＰＣ）の周辺機器として用いられる単体としてのスキャナーや、複写機やファクシミリ等に搭載されている原稿画像を読み取る画像読み取り装置に関するものである。
【背景技術】
【０００２】
一般的に、画像読み取り装置では、光源が原稿の画像面に対して光を照射し、その画像面からの反射光を複数のミラーが反射させながら集光レンズを通してＣＣＤ等の読み取りデバイスに導き入れる。そして、この読み取りデバイスが反射光を電気信号へと変換するようになっている。
【０００３】
そして、この原稿読み取り動作においては、種々の原稿サイズに対応すべく、図１２に示すように、画像読み取り装置１６９を構成するハウジング１５７内において、光源１３１等を含んで構成される第１スキャナー１３９と、複数のミラー１４１・１４２を含んで構成される第２スキャナー１４９とが、相互に独立しながらも、連帯してコンタクトガラス１６１に沿って往復移動できるようになっている。
【０００４】
このような第１・第２スキャナー１３９・１４９が、滑らかな（スムーズな）移動を実現するために、両スキャナー１３９・１４９は、コンパクトかつ軽量に作られている。そのため、例えば画像読み取り装置１６９を輸送するときに、過度の振動や衝撃等が、それらに加わると変形・破損等してしまうことがある。
【０００５】
そこで、第１・第２スキャナー１３９・１４９、ひいては画像読み取り装置１６９の破損等を防止すべく、図１２に示すように、第１・第２スキャナーが所定の固定位置（例えばサービスマン等が、画像読み取り装置１６９を運搬するときにおける第１・第２スキャナーの位置）にあるとき、ハウジング１５７の上面に設けられている既存の開孔からロック部材１０１を差し込むことで、第１スキャナー１３９を接触固定（ロック）する。さらに、その固定された第１スキャナー１３９の側壁面とハウジング１５７の側壁面とで第２スキャナー１４９を挟持するようにして、両スキャナー１３９・１４９を固定させるようにしている。
【特許文献１】特開平１１−２７４６２号公報（請求項１、請求項５、段落〔０００６〕、段落〔０００８〕参照）
【発明の開示】
【発明が解決しようとする課題】
【０００６】
しかしながら、特許文献１の画像読み取り装置１６９では、ロック部材１０１を第１スキャナー１３９のみに接触させることで固定（接触固定）し、第２スキャナー１４９は、第１スキャナー１３９・ハウジング１５７の壁面による接触固定（挟持）によって、ロックさせている。そのため、第２スキャナー１４９の固定の安定性は、第１スキャナー１３９の固定状態に依存することになる。また、第１・第２スキャナー１３９・１４９の接触箇所には、接触に起因する変形・破損等を防止するために、図１２に示すような、緩衝部材１０９を設ける必要がある。
【０００７】
そして、このような緩衝部材１０９を永久的に第１・第２スキャナー１３９・１４９に取り付けてしまうと、両スキャナー１３９・１４９の重量は増加することになり、スムーズな移動を妨げる要因となる。また、重量の増加した両スキャナー１３９・１４９のスムーズな移動を確保しようとすると、駆動モーター等を大型化する必要が生じ、画像読み取り装置１６９の小型化を妨げることになる。
【０００８】
本発明は、上記の問題点を解決するためになされたものであって、その目的は、簡易な機構によって、第２スキャナーの固定状態が第１スキャナーの固定状態に依存することなく、両スキャナーを各々同時に固定できる画像読み取り装置を提供することにある。
【課題を解決するための手段】
【０００９】
本発明の画像読み取り装置は、筐体の上面に配設される原稿載置部に沿って移動する第１スキャナーと第２スキャナーとを含む画像読み取り装置であって、上記第１スキャナーの一部および上記第２スキャナーの一部に同時に接触することで、両スキャナーの移動を固定する固定部材が、上記筐体に設けられていることを特徴としている。
【００１０】
これによると、固定部材は、第１スキャナーの一部と接触するとともに、第２スキャナーの一部とも接触することで両スキャナーを固定（接触固定）できる。つまり、両スキャナーが、固定部材によって各々接触固定されることから、安定して第１スキャナーと第２スキャナーとを固定（ロック）することができる。
【００１１】
また、ロック部材は、筐体に備え付けられているので、例えば第１・第２スキャナーの固定のときにのみ、別離のロック部材を画像読み取り装置に取り付けるような構成になっていない。したがって、ロック部材を紛失するような事態を防止できる。
【００１２】
また、本発明の画像読み取り装置では、上記固定部材は、上記第１スキャナーと、上記第２スキャナーとを離間させて、両スキャナーを固定することが好ましい。
【００１３】
これによると、接触することなく、第１・第２スキャナーが別れて各々固定されることになる。そのため、両スキャナーの接触による変形・破損等を防ぐことができる。また、両スキャナーは接触しないことから、各々のスキャナーに緩衝材等の部材を取り付ける必要もない。そのため、軽量の第１・第２スキャナーとなり、それらを往復移動させるためのモーター等の小型化を図ることができ、ひいては画像読み取り装置の小型化も実現できる。
【００１４】
また、本発明の画像読み取り装置では、上記固定部材には、その固定部材による上記の第１スキャナーおよび第２スキャナーの固定動作を制御する制御部が設けられており、上記制御部は、上記の第１スキャナーまたは第２スキャナーが所定の固定位置に到達したときのみ、上記固定部材による両スキャナーの固定を可能にすることが好ましい。
【００１５】
これによると、両スキャナーが所定の固定位置に到達しないとき、例えば固定部材が第１・第２スキャナーに届かない（接触できない）位置（所定の固定位置から、固定部材に対して離間する方向の位置（ホームポジション等））においては、固定部材は制御部により固定動作が行えないようになる。つまり、画像読み取り装置による画像読み取り動作終了後の第１・第２スキャナーの停止位置（ホームポジション）においては、固定部材による固定動作はなされない。そのため、誤って固定部材で両スキャナーを固定したまま画像読み取りスタートボタン（コピースタートボタン等）を押してしまうような事態はありえず、結果として、画像読み取り装置が故障するという事態を防止できる。
【発明の効果】
【００１６】
本発明の画像読み取り装置によれば、固定部材によって、同時に（一度に）、かつ第１スキャナーおよび第２スキャナーを各々固定できる。そのため、第２スキャナーの固定状態は、第１スキャナーの固定状態に依存することはなく、安定して両スキャナーを固定することができる。
【発明を実施するための最良の形態】
【００１７】
本発明の実施の一形態について、図面に基づいて説明すれば、以下の通りである。
【００１８】
本発明の画像読み取り装置は、ＰＣの周辺機器として用いられる単体としてのスキャナーや、複写機やファクシミリ（画像形成装置）等のスキャナー（イメージスキャニングユニット（ＩＳＵ））として用いられるものである。そして、図１は、この本発明の画像読み取り装置６９の概略構成図である。なお、図１では、紙面の表側が画像読み取り装置６９の手前側（フロント側）とし、紙面の裏側が奥側（リア側）とする。
【００１９】
また、画像読み取り装置６９を移動させるとき（運搬）等、その画像読み取り装置６９の左側右側のいずれか一方で、後述の第１・第２スキャナー３９・４９を停止させる位置を固定位置とする。また、画像読み取り装置６９による画像読み取り動作終了後の第１・第２スキャナー３９・４９の停止位置をホームポジションとする。
【００２０】
なお、上記の固定位置は、ホームポジションよりもさらに左側（Ｘ方向）で、後述するハウジングフレーム５５の側壁５５ａ（５５）近傍に位置する。そして、第１・第２スキャナー３９・４９をホームポジションから固定位置に移動させる方法としては、例えばサービスマン等のみが扱えるシュミレーションモードによって、「運搬モード」を選択・実行することで、両スキャナー３９・４９が、自動的にホームポジションから固定位置にまで移動するようになっている。なお、一般的にシュミレーションモードに入るためには、画像読み取り装置６９や画像読み取り装置６９を備えた画像形成装置の場合、その画像形成装置等の操作パネル（不図示）から暗証番号の入力が必要となっている。そのため、一般ユーザーは、シュミレーションモードに入ることはできず、両スキャナー３９・４９をホームポジションから固定位置にまで移動させることはできないようになっている。
【００２１】
画像読み取り装置６９は、コンタクトガラス（原稿載置部）６１、原稿押さえ６２、光照射部３１、反射板３２、第１ミラー３３、第２ミラー４１、第３ミラー４２、レンズ集合部５１、固体撮像部５２、およびハウジング（筐体）５７を含むである。
【００２２】
コンタクトガラス６１は、原稿を載置するもので透明な部材からできている。原稿押さえ６２は、コンタクトガラス６１上に載置された原稿を押さえつけるものである。
【００２３】
光照射部３１は、コンタクトガラス６１の下方から原稿の画像面に向けて光を照射するＬＥＤアレイや蛍光管ランプ等の光源である。反射板３２は、光照射部３１からの光を効率良く原稿の画像面に照射させるためのものである。第１ミラー３３は、原稿の画像面で反射された原稿の反射光を直接受けて反射させるものである。なお、光照射部３１・反射板３２・第１ミラー３３はランプキャリッジ３４上に一体的に固定されており、これらを第１スキャナー３９とする。
【００２４】
第２ミラー４１は、第１ミラー３３からの反射光を受けて反射させるものであり、第３ミラー４２は、この第２ミラー４１からの反射光を受けて反射させるものである。なお、第２ミラー４１・第３ミラー４２はミラーキャリッジ４４上に一体的に固定されており、これらを第２スキャナー４９とする。
【００２５】
なお、図１では、原稿の反射光の光路（反射光路Ｗ）を表現するために、ランプキャリッジ３４・ミラーキャリッジ４４における反射光路Ｗを確保するための空間を明示している。また、第１スキャナー３９と第２スキャナー４９とは、相互に独立しているが、連帯してコンタクトガラス６１に沿って往復移動可能（走査移動可能）となっており、矢印Ｘ方向・Ｙ方向（走査方向）に移動できる。なお、以下では、第１スキャナー３９・第２スキャナー４９・レンズ集合部５１・固体撮像部５２を光学系と表現する。
【００２６】
レンズ集合部５１は、第３ミラー４２からの反射光を導入して固体撮像部５２に集光させるものである。固体撮像部５２は、レンズ集合部５１により集光された原稿反射光を受光して電気信号（画像データ）に変換するものであり、光変換素子を含む構成である。なお、レンズ集合部５１・固体撮像部５２は、原稿反射光の結像位置が固体撮像部５２の光電変換素子上に一致するよう調整された状態で、ベースプレート５３上に取り付けられている。
【００２７】
ハウジング５７は、上記の光学系を収容するものであり、ハウジングフレーム（Ｈフレーム）５５と、そのＨフレーム５５を覆う外装５６とから構成されている。
【００２８】
ここで、本発明の特徴的な構成について説明する。本発明の画像読み取り装置６９では、第１・第２スキャナー３９・４９の固定位置に近接するハウジング５７の側壁５７ａに移動可能なロック部材（固定部材）１が設けられており、そのロック部材１が、上述のランプキャリッジ３４・ミラーキャリッジ４４（第１・第２スキャナー３９・４９）を接触させることなく（離間させて）、かつ同時に固定するようになっている。
【００２９】
図２に示すロック部材１は、上述のように移動可能となっており、例えば画像読み取り装置６９の側壁（ハウジング５７の側壁５７ａ（５７））を、奥から手前、手前から奥へと往復移動できるようになっている。そして、このような往復移動を可能とする機構としては、例えば、ハウジング５７の側壁５７ａ（Ｈフレーム５５の側壁５５ａ（５５）および外装５６の側壁５６ａ（５６））に開口を設け、その開口におけるＨフレーム５５の上端部５５ｂ（５５）と下端部５５ｃ（５５）とが、ロック部材１に設けた移動用溝部２と係合するようにすればよい。
【００３０】
つまり、サービスマン等の手作業で、ロック部材１を画像読み取り装置６９における奥から手前、手前から奥へとスライド（往復移動）できるように、移動用溝部２が、Ｈフレーム５５の上端部５５ｂと下端部５５ｃとを挟持するようになっている。なお、ロック部材１の移動を確保するために、移動用溝部２の溝幅は、Ｈフレーム５５の厚みよりも若干長い程度となっており、また移動用溝部２の長手は、移動方向（画像読み取り装置６９の奥から手前、または手前から奥の方向）と同方向に向くようになっている。
【００３１】
そして、ロック部材１による固定のために、ランプキャリッジ３４には、ロック部材１と係合（接触）するためのランプキャリッジ係合部（ＬＣ係合部）３５が設けられ、ミラーキャリッジ４４にも、ロック部材１と係合（接触）するためのミラーキャリッジ係合部（ＭＣ係合部）４５が設けられている。なお、ＬＣ係合部３５・ＭＣ係合部４５の係合面は、例えば第１・第２スキャナー３９・４９の走査方向（Ｘ・Ｙ方向）に対して垂直な水平面となっている。
【００３２】
一方、ロック部材１には、図２に示すように、ＬＣ係合部３５と係合するためのＬＣロック用溝部３と、ＭＣ係合部４５と係合するためのロック用突片部４とが設けられている。そして、このＬＣロック用溝部３によってＬＣ係合部３５を挟持するとともに、ロック用突片部４とＨフレーム５５の側壁５５ａ（ハウジング５７の側壁５７ａ）とによって形成される溝部（ＭＣロック用溝部）５によってＭＣ係合部４５を挟持するようになっている。
【００３３】
そして、図３（ａ）（図１の矢視Ａ−Ａ’からの概略構成図）に示すように、ロック部材１は、ランプキャリッジ３４（第１スキャナー３９）・ミラーキャリッジ４４（第２スキャナー４９）を固定（ロック）するとき、ＬＣロック用溝部３でＬＣ係合部３５を挟持できるように、かつ、ロック用突片部４とＨフレーム５５の側壁５５ａとにより形成されるＭＣロック用溝部５（図１参照）でＭＣ係合部４５を挟持できるように、矢印Ｐ方向に移動するようになっている。
【００３４】
つまり、ロック部材１が矢印Ｐ方向に移動することによって、ＬＣロック用溝部３にＬＣ係合部３５が差し込まれるようになる（ＬＣロック用溝部３がＬＣ係合部３５を挟み込むようになる）一方、ＭＣロック用溝部５にＭＣ係合部４５が差し込まれるようになる（ＭＣロック用溝部５がＭＣ係合部４５を挟み込むようになる）。そして、ＬＣ係合部３５・ＭＣ係合部４５が完全に差し込まれることで（挟み込まれることで）、ロック部材１によるランプキャリッジ３４・ミラーキャリッジ４４の固定を完了するようになっている。なお、ロック部材１が、両キャリッジ３４・４４の固定を完了する位置をロック完了位置と表現する。また、図３・図５（後述）では、便宜上、ロック部材１・ランプキャリッジ３４・ミラーキャリッジ４４を重点的に表現している。
【００３５】
一方、図３（ｂ）に示すように、ロック部材１は、ランプキャリッジ３４・ミラーキャリッジ４４の固定を解除するとき、ロック部材１が矢印Ｑ方向に移動することによって、ＬＣロック用溝部３からＬＣ係合部３５が引き抜かれるようにする（ＬＣロック用溝部３によるＬＣ係合部３５の挟持が解除される）一方、ＭＣロック用溝部５からＭＣ係合部４５が引き抜かれるようになる（ＭＣロック用溝部５によるＭＣ係合部４５の挟持が解除されるようになる）。そして、ＬＣ係合部３５・ＭＣ係合部４５が完全に引き抜かれることで（挟持が解除されることで）、ロック部材１によるランプキャリッジ３４・ミラーキャリッジ４４の固定を解除するようになっている。なお、ロック部材１が、両キャリッジ３４・４４の固定を解除する位置（固定できないような位置）をロック解除位置と表現する。また、ＬＣロック用溝部３・ＭＣロック用溝部５の挟持面は、ＬＣ係合部３５・ＭＣ係合部４５の係合面と接触するため、これらの係合面の面方向と同方向の水平面となっている。
【００３６】
以上のように、本発明の画像読み取り装置６９では、コンタクトガラス６１に沿って移動する第１スキャナー３９・第２スキャナー４９の一部（ＬＣ係合部３５・ＭＣ係合部４５）にロック部材１が係合（接触）することで、両スキャナー３９・４９の動き（移動）を各々（同時に）固定できるようになっている。より具体的には、ハウジング５７の側壁５７ａに設けられたロック部材１のＬＣロック用溝部３、およびロック用突片部４とハウジング５７の側壁５７ａとの溝部（ＭＣロック用溝部５）が、固定位置における第１スキャナー３９（ランプキャリッジ３４）、および第２スキャナー４９（ミラーキャリッジ４４）を別々に（接触させることなく）、かつ同時に（各々）挟持することで、両スキャナー３９・４９を固定できるようになっている。
【００３７】
したがって、第１スキャナー３９の一部（ＬＣ係合部３５）と、第２スキャナー４９の一部（ＭＣ係合部４５）とがロック部材１によって各々接触固定されることから、安定して第１スキャナー３９と第２スキャナー４９とを固定（ロック）することができる。その上、第１スキャナー３９と、第２スキャナー４９とが接触することなく、別れて各々固定されることになり、両スキャナー３９・４９の接触による変形・破損等の防止できる。
【００３８】
また、両スキャナー３９・４９が接触することはあり得ないため、各々のスキャナー３９・４９に緩衝材等の部材を取り付ける必要もない。そのため、軽量の第１・第２スキャナー３９・４９となり、それらを往復移動させるためのモーター等の小型化を図ることができ、ひいては画像読み取り装置６９の小型化も実現できる。
【００３９】
また、ロック部材１は、ハウジング５７の側壁５７ａに備え付けられているので、例えば第１・第２スキャナー３９・４９の固定のときにのみ、別離のロック部材を画像読み取り装置に取り付けるような構成になっていない。したがって、ロック部材１を紛失するような事態を防止できる。
【００４０】
また、本発明の画像読み取り装置６９では、ロック部材１は、第１・第２スキャナー３９・４９が移動して固定位置に到達したとき、その到達した両スキャナー３９・４９に近接したハウジング５７の箇所（一部）、例えばハウジング５７の側壁５７ａに設けられている。そのため、第１・第２スキャナー３９・４９の固定は、両スキャナー３９・４９が固定位置に位置するときにのみ行われる。なぜなら、ロック部材１と係合（接触）可能な位置（固定位置）にまで、第１・第２スキャナー３９・４９（ランプキャリッジ・ミラーキャリッジ３４・４４）が到達しないと、そのロック部材１とＬＣ係合部３５・ＭＣ係合部４５との係合はありえないためである。
【００４１】
そのため、本発明の画像読み取り装置６９では、第１・第２スキャナー３９・４９がホームポジションに位置するときには、両スキャナー３９・４９は固定されることはない。したがって、誤って第１スキャナー３９または第２スキャナー４９が固定されたまま、画像読み取り装置６９の読み取りスタートボタン（不図示）や、画像読み取り装置６９を備えた画像形成装置等のコピースタートボタン等（不図示）を押して、画像読み取り装置６９が故障するという事態を防止できる。
【００４２】
なお、ロック部材１の形状は、上述の図２の形状に限定されることはなく、種々の形状が考えられる。例えば図４に示すように、サービスマン等がスライドさせやすいような滑り止め部１ａ（１）を設けるとともに、移動用溝部２・ＭＣロック用溝部５（図１参照）とを一体化させた一体溝部６を設けたロック部材１であってもよい。なお、この一体溝部６を設けるために、このロック部材１には、一体溝部用突片部７がロック用突片部４に対向するように設けられている。また、この図４では、図２でのロック部材１における同一の部材については、同一の部材番号を付している。
【００４３】
また、本発明の画像読み取り装置６９では、第１・第２スキャナー３９・４９が固定位置に位置するときのみに、ロック部材１をハウジング５７の側壁５７ａに沿って移動可能とし、両スキャナー３９・４９を固定できるような構成になっている。
【００４４】
具体的には、図５に示すように、ロック部材１が第１・第２スキャナー３９・４９を固定するときに移動する方向（ロック解除位置からロック完了位置への移動方向）、すなわち矢印Ｐ方向側に移動制御部（制御部）１１を設けている。なお、この図５では、上述のＸ方向、すなわち紙面の裏側から表側の方向をＸ○と、Ｙ方向、すなわち紙面の表側から裏側の方向をＹ●と表現する。また、図６は、図５のロック部材１の斜視図であり、図２のロック部材１に移動制御部１１を設けたものを示している。また、図７は、図４のロック部材１に移動制御部１１を設けたものを示している。
【００４５】
図５・図６に示す移動制御部１１は、ハウジング５７の側壁５７ａに近いＭＣ係合部４５の係合面（第１係合面）４５ａと接触させるために、ロック部材１の側端（例えばロック部材１におけるＰ方向側の一側端）から突きでるように設けられており（突設されており）、かつ、ＭＣ係合部４５と接触する箇所にはＹ方向側に半球円状の接触部１２が設けられている。なお、移動制御部１１および接触部１２の形状は、特に限定するものではなく、図７に示すように、接触部１２が半円柱状のものであってもよい。要は、第１・第２スキャナー３９・４９が固定位置に到達したときだけ、ロック部材１がロック完了位置に移動できるような構成であればよい。
【００４６】
ここで、図８〜図１０を用いて、第１・第２スキャナー３９・４９（図１参照）が固定位置に位置するときのみ、ロック部材１が移動する機構について説明する。なお、図８は上方から画像読み取り装置６９をみたときの概略構成図であり、便宜上、ミラーキャリッジ４４、ハウジング５７（特にハウジング５７の開口における下端部分）、および図６のロック部材１を重点的に表現している。
【００４７】
また、図９・図１０は、斜視図であり、具体的には、図９は図８（ａ）の斜視図であり、図１０は図８（ｃ）の斜視図である。なお、これらの図９・図１０は、斜視図ゆえ図示できない部材が生じるが、かかる場合、図１を参照するものとする。また、図９（ａ）・図１０（ａ）は、Ｈフレーム５５ａ（５５）を含めた斜視図であり、図９（ｂ）・図１０（ｂ）は、ロック部材１を明確にすべく、Ｈフレームを明示していない。また、種々のロック部材１が利用可能であることを明示すべく、図９・図１０のロック部材１は、図７のロック部材１を用いている。
【００４８】
図８（ａ）・図９は、ミラーキャリッジ４４が固定位置に位置していないとき、例えば画像読み取り装置６９の読み込み動作が終了して、第１・第２スキャナー３９・４９がホームポジションに位置しているとき等を表している。かかる場合、ロック部材１の移動制御部１１の端部１１ｄがＨフレーム５５の開口の端部５５ｄ（５５）と接触することで、そのロック部材１の移動を停止させている。つまり、一般ユーザーが手作業でロック部材１をスライドさせようとしても、移動制御部１１（ロック部材１）の端部１１ｄ（１１）が、Ｈフレーム５５の開口の端部５５ｄによって係止させられて、スライドしないようになっている。
【００４９】
しかしながら、図８（ｂ）に示すように、ミラーキャリッジ４４が固定位置に位置するためＸ方向に移動してくると、ＭＣ係合部４５の第１係合面４５ａ（４５）が、そのＸ方向の移動につれ接触部１２の半球円の球面１２ｅ（１２）をＸ方向に押しつけることになる（押進させることになる）。すると、Ｈフレーム５５の開口の端部５５ｄと、接触部１２（具体的には接触部１２の球面１２ｅ）とが接触するようになる。すなわち、Ｈフレーム５５の開口の端部５５ｄと、移動制御部１１の端部１１ｄとの接触から、Ｈフレーム５５の開口の端部５５ｄと、接触部１２の球面１２ｅとの接触に移行するようになっている。
【００５０】
このような移行がすすむと、接触部１２の半球円の形状（球面形状）から、Ｈフレーム５５の開口の端部５５ｄと、移動制御部１１（ロック部材１）の端部１１ｄとの係止が解除される。なぜなら、接触部１２が球面形状（球面１２ｅ）のために、サービスマン等の手作業によるロック部材１のＰ方向のスライドに応じて、接触部１２がＨフレーム５５の側壁５５ａに乗り上げるようになるためである。
【００５１】
そのため、図８（ｃ）・図１０のように、さらにＰ方向にロック部材１をスライドさせていくと、移動制御部１１の接触部１２は、Ｈフレーム５５の開口の端部５５ｄから離間していき、Ｈフレーム５５の側壁５５ａに沿ってＰ方向に移動するようになる。すると、図８（ｃ）の場合、ＭＣロック用溝部５が、ＭＣ係合部４５を挟持するようになる。また、図１０の場合、一体溝部６がＭＣ係合部４５を挟持するようになる。
【００５２】
なお、上述では、移動制御部１１と接触するのはミラーキャリッジ４４のＭＣ係合部４５として説明してきたが、これに限定するものではなく、ランプキャリッジ３４のＬＣ係合部３５と移動制御部１１とが接触することで、ロック部材１による第１・第２スキャナー３９・４９の固定を制御しても構わない。
【００５３】
以上のように、本発明の画像読み取り装置６９では、第１・第２スキャナー３９・４９（ランプキャリッジ３４・ミラーキャリッジ４４）が固定位置（所定の固定位置）に位置するときのみ、ロック部材１によって両スキャナー３９・４９を固定することができる。つまり、本発明の画像読み取り装置６９では、ロック部材１による第１・第２スキャナー３９・４９の固定動作を制御する移動制御部１１が、そのロック部材１に設けられており、この移動制御部１１は、第１スキャナー３９または第２スキャナー４９が固定位置に到達したときのみ、ロック部材１による両スキャナー３９・４９の固定を可能にするようになっている。
【００５４】
そのため、両スキャナー３９・４９が固定位置に到達しないとき、例えば画像読み取り動作が終了して、両スキャナー３９・４９がホームポジショに位置するときは、ロック部材１はハウジング５７の側壁５７ａを移動すらできないようになっている。つまり、ロック部材１はロック完了位置に移動することなくロック解除位置に静止することになる。したがって、誤って第１・第２スキャナー３９・４９がホームポジションに位置するときにロックされることはなく、画像読み取り装置６９が故障するという事態を防止できる。
【００５５】
なお、移動制御部１１は弾力性を持つように設計されている。例えば移動制御部１１とロック部材１とを弾力性のある樹脂等で一体成型するとともに、移動制御部１１の長手をＰ方向と同方向に配設せず、図５に示すように、Ｐ方向からＹ方向に向かって傾斜を有するように配設する。すると、ミラーキャリッジ４４のＭＣ係合部４５によって、移動制御部１１がＸ方向に押進させられても、ＭＣ係合部４５がＹ方向に移動すれば、移動制御部１１は弾力性を有することからＹ方向に回復移動することになる。
【００５６】
したがって、図８（ｃ）・図１０のように、ロック部材１がロック完了位置にまで移動したとしても、再度、ロック解除位置にまで移動すれば、図８（ａ）・図９のように、移動制御部１１の端部１１ｄがＨフレーム５５の開口の端部５５ｄと接触するようになり、ロック部材１の移動を停止させることができる。
【００５７】
また、移動制御部１１の構成は、上述のものに限定されることはなく、第１スキャナー３９または第２スキャナー４９が固定位置に到達したときのみ、ロック部材１による両スキャナー３９・４９の固定を可能にする構成であればよい。例えば図１１に示すように、弾性体１５を用いることで、移動制御部１１の接触部１２をＹ方向へ移動させるような構成であってもよい。
【００５８】
また、図７に示すようなロック部材１では、滑り止め部１ａがあることから、サービスマン等がスライドさせやすい。また、一体溝部用突片部７の長手方向と同方向に連なって（連成して）移動制御部１１を設けることができることから、図５に示すような傾斜（Ｐ方向から画像読み取り装置の下方に向かう傾斜）を付けて移動制御部１１を設けたロック部材１によりも、一層確実に、移動制御部１１の端部１１ｄがＨフレーム５５の端部５５ｄに接触させることができる。すなわち、ロック部材１の移動を確実に停止させることができる。
【００５９】
なお、本発明の画像読み取り装置は、上記の実施形態に限定されることはなく、本発明の趣旨を逸脱しない範囲で、種々の変更が可能である。特にロック部材１の形状等は限定されることはなく、第１スキャナー３９と第２スキャナー４９とを同時に（各々）固定できような機能を有すればよい。また、ロック部材１の移動制御部１１の形状等も限定されることはなく、第１スキャナー３９と第２スキャナー４９とが固定位置に到達したときに初めて、両スキャナー３９・４９を固定できる位置（ロック完了位置）に移動できるような機能を有すればよい。
【産業上の利用可能性】
【００６０】
本発明は、軽量かつ小型な画像読み取り装置に有用である。
【図面の簡単な説明】
【００６１】
【図１】本発明の画像読み取り装置を示す概略構成図である。
【図２】本発明の画像読み取り装置に備えられているロック部材を示す斜視図である。
【図３】図１の矢視Ａ−Ａ’からの概略構成図であって、（ａ）はロック完了位置へ移動するロック部材を表現した概略構成図であり、（ｂ）はロック解除位置へ移動するロック部材を表現した概略構成図である。
【図４】図２の他の一例を示す斜視図である。
【図５】図１の矢視Ａ−Ａ’からの概略構成図であって、移動制御部を設けたロック部材を示す概略構成図である。
【図６】図５に示すロック部材の斜視図である。
【図７】移動制御部を設けた図４のロック部材を示す斜視図である。
【図８】（ａ）は移動制御部を備えたロック部材がロック解除位置にて静止している場合を示す概略構成図であり、（ｂ）はミラーキャリッジと移動制御部とが接触している場合を示す概略構成図であり、（ｃ）はロック部材がロック完了位置へと移動する場合を示す概略構成図である。
【図９】図８（ａ）の斜視図であり、（ａ）はＨフレームを明示した斜視図であり、（ｂ）はＨフレームを表さない斜視図である。
【図１０】図８（ｃ）の斜視図であり、（ａ）はＨフレームを明示した斜視図であり、（ｂ）はＨフレームを表さない斜視図である。
【図１１】図６・図７の他の一例であるロック部材を示す概略構成図である。
【図１２】従来の画像読み取り装置を示す概略構成図である。
【符号の説明】
【００６２】
１    ロック部材（固定部材）
２    移動用溝部（固定部材）
３    ランプキャリッジロック用溝部（固定部材）
４    ロック用突片部（固定部材）
５    ミラーキャリッジロック用溝部（固定部材）
６    一体溝部（固定部材）
７    一体溝部用突片部（固定部材）
１１    移動制御部（制御部）
１１ｄ  移動制御部の端部
１２    接触部（制御部）
１２ｅ  半球円（制御部）
３４    ランプキャリッジ（第１スキャナー）
３５    ランプキャリッジ係合部（ランプキャリッジ）
３９    第１スキャナー
４４    ミラーキャリッジ（第２スキャナー）
４５    ミラーキャリッジ係合部（ミラーキャリッジ）
４９    第２スキャナー
５５    ハウジングフレーム（ハウジング）
５５ａ  ハウジングフレームの側壁
５６    外装（ハウジング）
５６ａ  外装の側壁
５７    ハウジング
５７ａ  ハウジングの側壁
【図１】
2005208391.tif 000003
【図２】
2005208391.tif 000004
【図３】
2005208391.tif 000005
【図４】
2005208391.tif 000006
【図５】
2005208391.tif 000007
【図６】
2005208391.tif 000008
【図７】
2005208391.tif 000009
【図８】
2005208391.tif 000010
【図９】
2005208391.tif 000011
【図１０】
2005208391.tif 000012
【図１１】
2005208391.tif 000013
【図１２】
2005208391.tif 000014